(57)【要約】  【課題】  バンド部と本体部との連結を強固に行うことができる固定構造および固定部材を提供する。  【解決手段】  本体部１１の係合部２１にバンド部１３の被係合部４１を係合させると、係合部２１の周囲を被係合部４１の縦壁４３、上壁４５、下壁４７によって３方向から囲いこむ状態となる。そして、上壁４５のロック片４５ａが上側の段差２１ａと係合し、下壁４７のロック片４７ａが下側の段差２１ｂと係合する。本体部１１を固定部９に取り付けると、下壁４７は、係合部２１と底壁７７との間に挟み込まれる。このとき本体部１１は上下方向に移動できないため、下壁４７は係合部２１から離れることができずロック片４７ａと段差２１ｂとの接触した状態が維持される結果、係合部２１と被係合部４１との係合の解除が抑制される。【選択図】図６
2014009763.tif 000002
【特許請求の範囲】
【請求項１】
取付対象物に長尺部材を固定する固定構造であって、
前記取付対象物に設けられた固定部と、
前記固定部に固定される本体部であって、係止部を内部に有する差込穴と、前記本体部が前記固定部に固定された状態において前記取付対象物に沿う面に設けられる係合部と、を有する本体部と、
前記差込穴に差し込まれると前記係止部に係止される被係止片と、前記係合部と係合する被係合部と、前記被係止片と前記被係合部とを連接するバンドと、を有するバンド部と、を備え、
前記被係止片を前記差込穴に差し込んで係止すると、前記バンド部と前記本体部とが協働して、前記長尺部材を固定可能な把持環部を形成し、
前記本体部が前記固定部に固定された状態において、前記被係合部は前記本体部および前記取付対象物に挟み込まれて前記係合の解除が抑制される
ことを特徴とする固定構造。
【請求項２】
前記固定部は、
前記本体部を前記取付対象物の表面に沿ってスライドさせることで前記本体部を差し込み可能であって、前記スライドと反対の方向以外への移動を抑制して前記本体部を保持する保持部と、
前記本体部が前記保持部の所定の位置まで差し込まれた際に、前記本体部と係止して前記本体部が前記スライドと反対の方向に移動することを抑制する移動抑制部と、を備える
ことを特徴とする請求項１に記載の固定構造。
【請求項３】
前記バンドを前記本体部から離脱する方向に付勢する付勢部を備える
ことを特徴とする請求項１または請求項２に記載の固定構造。
【請求項４】
取付対象物に設けられた固定部に固定される本体部であって、係止部を内部に有する差込穴と、前記固定部に前記本体部が固定された状態において前記取付対象物に沿う面に設けられる係合部と、を有する本体部と、
前記差込穴に差し込まれると前記係止部に係止される被係止片と、前記係合部と係合する被係合部と、前記被係止片と前記被係合部とを連接するバンドと、を有するバンド部と、を備え、
前記被係止片を前記差込穴に差し込んで係止すると、前記バンド部と前記本体部とが協働して、長尺部材を固定可能な把持環部を形成し、
前記本体部が前記固定部に固定された状態において、前記被係合部は前記本体部および前記取付対象物に挟み込まれて前記係合の解除が抑制される
ことを特徴とする固定部材。
【発明の詳細な説明】
【技術分野】
【０００１】
本発明は、配線やワイヤハーネスなどの長尺部材を筐体などの取付対象物に固定する際に利用する固定構造に関する。
【背景技術】
【０００２】
電子機器内の配線やワイヤハーネスは、機器内部が乱雑になることを防止するために結束されて筐体などに固定される場合がある。従来、配線を筐体に固定するために、配線に巻きつけて配線を固定するためのバンド部と、筐体に本体部を固定するための係止部およびバンド部を挿入して係止するバンド止め部が形成された本体部と、を有するバンドクランプが提案されている（特許文献１参照）。
【先行技術文献】
【特許文献】
【０００３】
【特許文献１】特開２００４−４８９０１号公報
【発明の概要】
【発明が解決しようとする課題】
【０００４】
配線を結束する封緘具として、一度バンド部で配線を固定するとバンド部を切断したりして破損させなければ取り外しができないように構成されたものがある。このような封緘具では、破損の痕跡をチェックすることで配線が取り外されたことを明らかにできる。
【０００５】
ところで、特許文献１に記載のバンドクランプは全体が樹脂で一体成形されている。バンド部は配線に巻きつけるなどして曲げられた状態でバンド止め部に挿入する必要があるため、柔軟性を有する材質で形成される。
【０００６】
その結果、本体部に形成されたバンド止め部も柔軟性を有する材質で形成されることとなるため、バンド止め部に工具等を差し込んでバンド部とバンド止め部との係止を解除することが比較的容易であり、破損の痕跡を残すことなくバンド部が開放されやすくなってしまう。
【０００７】
バンド部と本体部とを別の材料で作製すると、バンド止め部の強度を高めてバンド部との係止を解除されにくくすることが可能となる。しかしながら、バンド部と本体部とが別体であることから、当然にそれらの連結部分の強度が一体成形した場合よりも低下して分離しやすくなってしまう。
【０００８】
このように、バンド部と本体部との係止を解除されにくくしつつ、バンド部と本体部との連結を強固にすることは困難であった。
本発明の目的は、バンド部と本体部との連結を強固に行うことができる固定構造および固定部材を提供することである。
【課題を解決するための手段】
【０００９】
上述した問題を解決するためになされた請求項１に記載の発明は、取付対象物に長尺部材を固定する固定構造であって、取付対象物に設けられた固定部と、上記固定部に固定される本体部と、バンド部と、を備える。
【００１０】
本体部は、係止部を内部に有する差込穴と、本体部が上記固定部に固定された状態において取付対象物に沿う面に設けられる係合部と、を有する。
バンド部は、上記差込穴に差し込まれると上記係止部に係止される被係止片と、上記係合部と係合する被係合部と、被係止片と被係合部とを連接するバンドと、を有する。
【００１１】
そしてこの固定構造では、上記被係止片を上記差込穴に差し込んで係止すると、バンド部と本体部とが協働して、長尺部材を固定可能な把持環部を形成する。また、本体部が固定部に固定された状態において、上記被係合部は本体部および取付対象物に挟み込まれて上記係合の解除が抑制されることを特徴とする。
【００１２】
このように構成された固定構造では、本体部と取付対象物とでバンド部を挟み込むことでバンド部と本体部との係合の解除が抑制されるため、バンド部と本体部との連結を強固に行うことができる。また、バンド部と本体部との係合する部分は、本体部と取付対象物とによって覆われて外部から視認や操作が行い難くなっているため、その点においてもバンド部と本体部との係合の解除が抑制される。
【００１３】
なお、上述した把持環部とは、全体として環状を形成していればその具体的な形状は特に限定されない。また上述した長尺部材とは、配線やワイヤハーネスなどのほか、棒状、板状のものやリング状のものであってもよく、バンド部と本体部とにより形成される把持環部の内部に収容できるものであればその対象は特に限定されない。
【００１４】
また把持環部による固定とは、把持環部の内部に長尺部材が収容されて、長尺部材をその長手方向と交差する方向に移動させても把持環部から取り外せない状態を意味している。従って、把持環部の内部において長尺部材が移動可能であってもよい。
【００１５】
上記係合部および上記被係合部は、被係合部が本体部および取付対象物に挟み込まれて係合の解除が抑制される構成であればその具体的な形状は特に限定されない。例えば本体部に係合部として凹部または凸部を形成しておき、バンド部に被係合部として上記凹部や凸部と係合する凸部や凹部を形成することが考えられる。
【００１６】
また、上記固定部は、本体部を固定できる構成であればその具体的な形状は特に限定されない。例えば取付対象物に固定部として貫通孔を形成し、本体部にその貫通孔を貫通する鏃型等のスナップを設け、スナップを貫通孔に貫通させて貫通孔の周縁に係止させることで固定を実現してもよいし、それとは反対に、取付対象物にスナップを設け、固定部に貫通孔を設ける構成であってもよい。
【００１７】
また固定部は、請求項２に記載の固定構造のように、本体部を取付対象物の表面に沿ってスライドさせることで本体部を差し込み可能であって、上記スライドと反対の方向以外への移動を抑制して本体部を保持する保持部と、本体部が保持部の所定の位置まで差し込まれた際に、本体部と係止して本体部がスライドと反対の方向に移動することを抑制する移動抑制部と、を備えるように構成してもよい。
【００１８】
このように構成された固定構造では、本体部を取付対象物の表面に沿ってスライドさせることで取付対象物に固定できるので、スナップなどの取付対象物の表面と交差する方向に大きく延び出すものを有する構成と比較して、全体を薄くすることが可能となる。
【００１９】
また、係合部と被係合部とを係合させて本体部と取付対象物とでバンド部を挟み込んだ状態とした後に、その状態のまま本体部をスライドさせて本体部を固定することができるため、本体部を固定部に固定させるときに係合部分がずれたり係合が解除されたりして、正しく取り付けできなくなる危険を低減できる。
【００２０】
また、請求項３に記載の固定構造のように、バンドを本体部から離脱する方向に付勢する付勢部を備えるように構成してもよい。
このように構成された固定構造であれば、被係止片が差込穴に差し込まれてしっかりと係止されており、かつバンドに破損がない状態でなければ、バンド部が本体部に対して所定の位置に存在せず、バンド部が破壊されたり破損したときにはバンド部が本体部から離れることとなる。よって、バンド部が破損した状態を容易に視認することができるようになり、把持環部が開放されたか否かのチェックが容易になる。
【００２１】
なおこの付勢部は、バンド部に設けられていてもよいし、バンド部以外の本体部や固定部に設けられる構成であってもよい。
また請求項４に記載の発明は、取付対象物に設けられた固定部に固定される本体部であって、係止部を内部に有する差込穴と、固定部に本体部が固定された状態において取付対象物に沿う面に設けられる係合部と、を有する本体部と、上記差込穴に差し込まれると上記係止部に係止される被係止片と、上記係合部と係合する被係合部と、被係止片と被係合部とを連接するバンドと、を有するバンド部と、を備える固定部材であって、上記被係止片を差込穴に差し込んで係止すると、バンド部と本体部とが協働して、長尺部材を固定可能な把持環部を形成し、また、本体部が固定部に固定された状態において、上記被係合部は本体部および取付対象物に挟み込まれて上記係合の解除が抑制されることを特徴とする。
【００２２】
このように構成された固定部材では、請求項１に記載の固定構造の一部を構成することができる。なおこの固定部材は、請求項２に記載の固定構造を構成する固定部に対して固定されるものであってもよいし、請求項３に記載のようにバンドを付勢する付勢部を設ける構成であってもよい。
【図面の簡単な説明】
【００２３】
【図１】実施例の固定構造を示す図であって、（ａ）が正面図であり、（ｂ）が平面図であり、（ｃ）が左上方から見た斜視図であり，（ｄ）が右上方から見た斜視図である。
【図２】実施例の本体部を示す図であって、（ａ）が正面図であり、（ｂ）が平面図であり、（ｃ）が底面図であり、（ｄ）が左側面図であり、（ｅ）が右側面図であり、（ｆ）が左上方から見た斜視図であり、（ｇ）が左下方から見た斜視図であり、（ｈ）が右上方から見た斜視図であり、（ｉ）が右下方から見た斜視図であり、（ｊ）が図２（ｄ）のＡ−Ａ断面図である。
【図３】実施例のバンド部を示す図であって、（ａ）が正面図であり、（ｂ）が平面図であり、（ｃ）が底面図であり、（ｄ）が左側面図であり、（ｅ）が右側面図であり、（ｆ）が左上方から見た斜視図であり、（ｇ）が左下方から見た斜視図であり、（ｈ）が右上方から見た斜視図であり、（ｉ）が右下方から見た斜視図である。
【図４】実施例の固定部を示す図であって、（ａ）が正面図であり、（ｂ）が平面図であり、（ｃ）が底面図であり、（ｄ）が左側面図であり、（ｅ）が右側面図であり、（ｆ）が左上方から見た斜視図であり、（ｇ）が右上方から見た斜視図であり、（ｈ）が図４（ｂ）のＢ−Ｂ断面図である。
【図５】実施例の固定部材（バンド部と本体部とを組み立てた状態）を示す図であって、（ａ）が正面図であり、（ｂ）が平面図であり、（ｃ）が底面図であり、（ｄ）が左側面図であり、（ｅ）が右側面図であり、（ｆ）が左上方から見た斜視図であり、（ｇ）が左下方から見た斜視図であり、（ｈ）が右上方から見た斜視図であり、（ｉ）が右下方から見た斜視図である。
【図６】実施例の固定部材を示す図であって、（ａ）が図５（ｄ）のＣ−Ｃ断面図であり、（ｂ）が固定部材を固定部に固定した状態を示す図６（ａ）と同じ視点の断面図であり、（ｃ）が被係止片を差込穴に差し込んで係止させた状態を示す図６（ａ）と同じ視点の断面図である。
【図７】固定部材を固定部に取り付けた状態を示す平面図である。
【発明を実施するための形態】
【００２４】
以下に本発明の実施形態を図面と共に説明する。
［実施例］
（１）全体構成
本実施例の固定構造１は、図１（ａ）〜（ｄ）に示すように、長尺部材の一例である配線３を固定する固定部材５と、電子機器の筐体である取付対象物７に設けられ、固定部材５を取付対象物７に固定する固定部９と、を有するものであって、取付対象物７に配線３を固定する際に用いられる。
【００２５】
なお、各部の相対的な位置関係を簡潔に説明するために、以下の記載では前後・左右・上下の方向を規定しているが、これらの方向はあくまでも各部の相対的な位置関係を示すための定義にすぎず、本実施例の固定部材５を使用する際の取り付け方向や固定部９の配置方向などを規定するものではない。なお、取付対象物７の表面に沿う方向が前後および左右方向であり、その表面と交差する方向が上下方向である。
【００２６】
固定部材５は、本体部１１と、２つのバンド部１３と、からなる。
本体部１１について、図２（ａ）〜（ｊ）に基づいて説明する。本体部１１は、一例としてポリカーボネート（ＰＣ）などの透明で硬く弾性の低い材質からなるものであって、右側に設けられる係合部２１および仕切り壁２３と、中央に設けられる溝部２５と、左側に設けられる差込穴２７および係止壁３１と、前後方向の端部に設けられる係止片３３と、を備える。
【００２７】
係合部２１は、図２（ｊ）に示すように、右端が肉厚部分となっていて柱状に前後方向に延びており、その肉厚部分の左側は、上側の段差２１ａと下側の段差２１ｂを経て肉薄となっている。上側の段差２１ａは、下側の段差２１ｂよりも右側に位置している。この係合部２１は、図６（ｂ）に示すように、本体部１１が固定部９に固定された状態において取付対象物７に沿う面に設けられる。
【００２８】
係合部２１の前後両端および中央には上下方向および左右方向に拡がる仕切り壁２３が設けられており、係合部２１は中央の仕切り壁によって２つに分けられている。また中央の仕切り壁２３の下端部２３ａは、前後端部に設けられた仕切り壁２３の下端よりも下方に突出している。
【００２９】
係合部２１および仕切り壁２３の左方には、配線３が配置可能である前後方向に延びる溝部２５が形成されている。溝部２５の左側には、上述した２つの係合部２１に対応し、上面に開口を有する２つの差込穴２７が形成されている。各差込穴２７は、差込穴２７の内部壁面のうち右側の壁面において左方に突出する突起２９を有している。なお、突起２９が本発明における係止部の一例である。
【００３０】
本体部１１の左端には、前後方向に拡がり下向きに延びる係止壁３１が設けられている。また本体部１１の前後両端には、本体部１１の中心から離れる方向に延び出した後、左側に屈曲して僅かに外側に広がりながら左側に延びている一対の係止片３３が形成されている。
【００３１】
バンド部１３について図３（ａ）〜（ｉ）に基づいて説明する。バンド部１３は、一例としてポリプロピレン（ＰＰ）などの本体部１１よりも弾性が高い材質からなる。バンド部１３は本体部１１とは異なり透明以外の色を有している。この色は材料自身の色であってもよいし、着色したものであってもよい。
【００３２】
バンド部１３は、左側の端部に設けられた被係合部４１と、右側の端部に設けられたスナップである被係止片５５と、被係合部４１および被係止片５５を連接する左右方向に長さを有するバンド４９と、を備える。
【００３３】
被係合部４１は、上下方向に長さを有する縦壁４３と、縦壁４３の上下両端において連接され、それぞれ左方に延び出す上壁４５および下壁４７と、を有する。下壁４７は上壁４５よりも肉厚に形成されている。
【００３４】
上壁４５の先端（左端）には下方を向くロック片４５ａが形成されており、下壁４７の先端（左端）には上方を向くロック片４７ａが形成されている。下壁４７のロック片４７ａは、上壁４５のロック片４５ａよりも左側に位置しており、ロック片４５ａおよびロック片４７ａは段違いになっている。
【００３５】
バンド４９は、左端において上壁４５と連接している。バンド４９の左側部分であって上壁４５との連接部分近傍には、周囲よりも厚さの薄い屈曲部５１が形成されている。またバンド４９の中央部分付近には、上方かつ左方に延びるばね片５３が設けられている。このばね片５３が本発明における付勢部の一例である。
【００３６】
またバンド４９の右側部分には、上方に向かって被係止片５５が形成されている。被係止片５５におけるバンド４９との接続部分近傍には幅および厚みが薄い切断部５７が形成されている。また被係止片５５の先端部５９は左方向に折り返されている。
【００３７】
固定部９について図４（ａ）〜（ｈ）に基づいて説明する。固定部９は、取付対象物７の平面状の部分に取付対象物７と一体に設けられており、取付対象物７と同様の材質で形成されている。
【００３８】
固定部９は、前後方向に長さを有し、取付対象物７から上方向に延びる前壁７１と、前壁７１の上下端部から左方向に拡がり、取付対象物７から上方向に延びる一対の側壁７３と、一対の側壁７３それぞれの上端から対となる側壁７３方向に拡がる一対の天壁７５と、取付対象物７の表面に沿って拡がる底壁７７と、を有する。
【００３９】
一対の側壁７３の内側面には段差面７９が形成されており、側壁７３同士の間隔はその段差面７９よりも奥側（右側）が広くなっている。一対の天壁７５は、前後方向に間隔をあけて配置されている。また底壁７７の前後方向の中央には左右方向に延びる溝８１が形成されている。また一対の天壁７５の下方に対応する領域は、底壁７７および取付対象物７を貫通する貫通孔８３となっている。
【００４０】
なお、固定部９における前壁７１、側壁７３、天壁７５、底壁７７が、本発明における保持部の一例であり、段差面７９が、本発明における移動抑制部の一例である。
（２）固定部材の取付対象物（固定部）への取り付け
本実施例の固定構造１では、まず、本体部１１とバンド部１３とを係合させて固定部材５を組み立てる。具体的には、本体部１１の係合部２１とバンド部１３の被係合部４１とを係合させる。
【００４１】
係合部２１に被係合部４１を係合させた状態を図５（ａ）〜（ｉ）、および図６（ａ）に示す。バンド部１３は、２つの係合部２１に並ぶように２つ取り付けられる。被係合部４１の上壁４５と下壁４７との隙間に係合部２１を通過させるためには、上壁４５と下壁４７との隙間が広くなるように弾性変形させる。係合部２１がロック片４５ａ、４７ａの間を通過して図６（ａ）に示す位置に収まると、上壁４５と下壁４７の隙間も元に戻る。
【００４２】
このとき、係合部２１は、周囲を被係合部４１の縦壁４３、上壁４５、下壁４７によって３方向から囲い込まれた状態となる。そして、上壁４５のロック片４５ａが上側の段差２１ａと係合し、下壁４７のロック片４７ａが下側の段差２１ｂと係合する。なお、ロック片４５ａとロック片４７ａとに段差が設けられることにより、その隙間に係合部２１を通過させやすくなっている。
【００４３】
次に本体部１１（固定部材５）を固定部９に取り付ける。ここでは、本体部１１の係止片３３およびその周辺が天壁７５と底壁７７との間に挟まれる位置関係となるように、本体部１１を取付対象物７の表面に沿って右方向にスライドさせて、本体部１１およびバンド部１３を固定部９の左側から差し込む。このとき、仕切り壁２３の下端部２３ａが底壁７７の間の溝８１に挿入されてガイドされるため、本体部１１は固定部９に対してずれることなく差し込まれる。
【００４４】
本体部１１が固定部９に差し込まれた状態を図７に示す。本体部１１における仕切り壁２３、溝部２５、差込穴２７、およびバンド部１３は一対の天壁７５の間から露出している。本体部１１は前壁７１、側壁７３、天壁７５、底壁７７に小さなクリアランスで囲まれるため、スライドと反対の方向以外、即ち、前後、上下、および右方向への移動が抑制された状態で固定部９に保持される。
【００４５】
また、本体部１１における前方の係止片３３の前端と後方の係止片３３の後端と、の間隔は、一対の側壁７３同士の内側の間隔のうち、段差面７９よりも左側の間隔よりも大きく、段差面７９よりも右側の間隔とほぼ同じである。本体部１１を差し込むと、係止片３３の端部は段差面７９を通過するまで内側に弾性変形した状態となり、段差面７９を通過すると弾性変形していた部分が開く。よって、一度本体部１１を固定部９に対して所定の位置まで差し込むと、段差面７９が係止片３３と係止して、本体部１１のスライドと反対の方向（左方向）への移動が抑制される。
【００４６】
このようにして、本体部１１（固定部材５）が固定部９に固定される。図６（ｂ）にこの状態の側面断面図を示す。下壁４７は、係合部２１と底壁７７との間に挟み込まれており、また上述したように本体部１１は上下方向に移動できないため、下壁４７は係合部２１から離れることができずロック片４７ａと段差２１ｂとの接触した状態が維持される結果、係合部２１と被係合部４１との係合の解除が抑制される。
【００４７】
なお、係止片３３は前壁７１、側壁７３、天壁７５に囲まれているため外部から操作することが難しく、固定部材５の固定部９からの取り外しが困難となるように形成されている。但し、取付対象物７の裏面からであれば貫通孔８３を通して係止片３３の操作が可能である。
【００４８】
（３）配線の取り付け
図６（ｃ）に示すように、配線３を溝部２５に配置して被係止片５５を差込穴２７へ所定の深さ以上差し込むことで、被係止片５５の先端部５９が差込穴２７の突起２９に係止され、本体部１１とバンド部１３とが協働して溝部２５を中心とした把持環部が形成されて、この把持環部に配線３が固定されることにより配線３が取付対象物７に固定される。
【００４９】
また、被係止片５５を差込穴２７に係止させた状態では、ばね片５３が本体部１１と接触してバンド４９を本体部１１から離脱する方向である上方に付勢している。
また、バンド４９は屈曲部５１にて屈曲するため、バンド４９は本体部１１に沿った位置となる。
【００５０】
（４）効果
本実施例の固定構造１では、本体部１１と取付対象物７（底壁７７）とでバンド部１３の被係合部４１の下壁４７を挟み込むことでバンド部１３と本体部１１との係合の解除を抑制しており、また、係合部２１は本体部１１と取付対象物７とによって覆われるため外部から視認や操作が行い難くなり、バンド部１３と本体部１１との係合の解除が抑制される。従って、バンド部１３と本体部１１との連結を強固に行うことができる。
【００５１】
また、バンド４９は、図６（ｃ）および図１に示すように差込穴２７を閉塞しており、また被係止片５５の先端部５９が把持環部の内側方向を向いて差込穴２７に挿入されているため、先端部５９の突起２９への係止を解除することが難しくなっている。よって、被係止片５５を差込穴２７に差し込んで係止されると、被係止片５５の係止を解除することにより把持環部を開放して、配線３を抜き出すことが容易にはできなくなる。
【００５２】
把持環部を開放しようとして被係止片５５を差込穴２７から抜こうとすると、切断部５７が切断されて被係止片５５が差込穴２７の内部に残る。よって、そのような痕跡を視認することで、把持環部を開放させたことを容易に確認できる。また本体部１１は透明であるため、切断された被係止片５５を容易に視認することができる。
【００５３】
また、ばね片５３が本体部１１と接触してバンド４９を上方に付勢しているため、切断部５７が切断されるとバンド４９は被係止片５５が形成される側の端部が上方に押し上げられる。また、切断部５７以外の部分、例えば屈曲部５１を切断して把持環部を開放しても、ばね片５３に付勢されてバンド４９の切断された屈曲部５１側の端部が上方に押し上げられる。よって、ばね片５３によって把持環部が開放された状態を容易に視認することができる。
【００５４】
また本実施例の固定構造１において、本体部１１とバンド部１３とからなる固定部材５は、係合部２１と被係合部４１とを係合させることにより１つの部品として組み立てられており、本体部１１やバンド部１３の自重で上記係合が解除されて分離してしまうことがない。よって、固定部材５は簡便に取り扱うことができる。
【００５５】
また、係合部２１と被係合部４１とを係合させて、本体部１１と取付対象物７とでバンド部１３の下壁４７を挟み込んだ状態のまま、本体部１１をスライドさせて固定部９にて本体部１１を固定できる。よって、本体部１１を固定部９に固定させるときに係合部分がずれたり係合が解除されてしまったりする危険を低減できる。
【００５６】
また、取付対象物７の表面に沿ってスライドさせることで固定する構成であるため、例えばスナップなどを用いて取付対象物７の表面と交差する方向にスナップを差し込んで本体部を固定する構成と比較すると全体の厚さを薄くすることが可能となる。
【００５７】
［変形例］
以上、本発明の実施例について説明したが、本発明は、上記実施例に何ら限定されることはなく、本発明の技術的範囲に属する限り種々の形態をとり得ることはいうまでもない。
【００５８】
例えば、上記実施例においては、取付対象物７として電子機器の筐体である構成を例示したが、電子機器の筐体に限定されることなく、様々な物品を取付対象物とすることができる。
【００５９】
また、本体部１１にバンド部１３を２つ取り付け可能である構成を例示したが、１つでもよいし、３つ以上であってもよい。
また、被係合部４１は係合部２１に対してロック片４５ａとロック片４７ａとで係止する構成を例示したが、ロック片４７ａのみであっても十分にバンド部１３が本体部１１から脱落することを抑制できる。なお、ロック片４５ａを有する場合には、係合の解除がさらに困難になるうえ、本体部１１と取付対象物７（底壁７７）とで被係合部４１の下壁４７を挟み込むことなく本体部１１とバンド部１３との係合状態を維持させることができ、固定部材５を１つの部品として簡便に扱うことができる。
【００６０】
また、上記実施例においては被係合部４１を係合部２１と底壁７７とで挟み込む構成を例示したが、本体部１１における係合部２１以外の部分で挟み込む構成であってもよいし、取付対象物７の底壁７７以外の部分で挟み込む構成であってもよい。
【００６１】
また、上記実施例においては本体部１１を取付対象物７の表面に沿ってスライドさせて固定部９に固定させる構成を例示したが、それ以外の構成により固定するものであってもよい。例えば本体部１１と取付対象物７にスナップと貫通孔を形成して、それらによって固定する構成であってもよい。
【００６２】
また、上記実施例においてはばね片５３がバンド４９に取り付けられる構成を例示したが、本体部１１や固定部９、または取付対象物７に設けられていてもよい。その場合、ばね片５３がバンド部１３を閉じた状態でバンド４９と接触してバンド４９を本体部１１から離脱させる方向に付勢するように構成するとよい。
【符号の説明】
【００６３】
１…固定構造、３…配線、５…固定部材、７…取付対象物、９…固定部、１１…本体部、１３…バンド部、２１…係合部、２１ａ…段差、２１ｂ…段差、２３…仕切り壁、２３ａ…下端部、２５…溝部、２７…差込穴、２９…突起、３１…係止壁、３３…係止片、４１…被係合部、４３…縦壁、４５…上壁、４５ａ…ロック片、４７…下壁、４７ａ…ロック片、４９…バンド、５１…屈曲部、５３…ばね片、５５…被係止片、５７…切断部、５９…先端部、７１…前壁、７３…側壁、７５…天壁、７７…底壁、７９…段差面、８１…溝、８３…貫通孔
【図１】
2014009763.tif 000003
【図２】
2014009763.tif 000004
【図３】
2014009763.tif 000005
【図４】
2014009763.tif 000006
【図５】
2014009763.tif 000007
【図７】
2014009763.tif 000008
【図６】
2014009763.tif 000009